Podtech/llm-jp-corpus-v4-ja_patent huggingface dataset:
(57)【要約】【課題】  水底の障害物にアンカーが引っ掛かった際、障害物に引っ掛かった爪部を除いて、全体が自由な回転を得ることにより、障害物からの離脱を果たし、船上から容易にアンカーを引き揚げることができる。【解決手段】  ロープ金具（２）の付いたアンカー柱（１）、支持部（４）、２枚の爪部（５，５）が、丸棒状の連結軸（３）によって連結され、この連結軸を中心軸として回転を得る基本構造とし、２枚の爪部は支持部に、左右それぞれ１本のボルトナット状の回転防止ピン（６，６）のみにより固定されており、爪部が障害物に引っ掛かった際には、アンカーを引き揚げる力によって、アンカー柱から支持部に対し、支持部の囲い形状の規制範囲を越える強い力が加わり、障害物に引っ掛かった爪部側の回転防止ピンが切断され、障害物に引っ掛かった爪部を除いて、全体が自由な回転を得ることにより、障害物からの容易な離脱を果たす。【選択図】図２
0003103697.tif 000002
【実用新案登録請求の範囲】
【請求項１】
ロープ金具（２）の付いたアンカー柱（１）、支持部（４）、２枚の爪部（５，５）が、丸棒状の連結軸（３）によって連結され，この連結軸を中心軸として回転を得る基本構造とし、２枚の爪部は支持部に、左右それぞれ１本のボルトナット状の回転防止ピン（６，６）のみにより固定されており、爪部が障害物に引っ掛かった際には、アンカーを引き揚げる力によって、アンカー柱から支持部に対し、支持部の囲い形状の規制範囲を越える強い力が加わり、障害物に引っ掛かった爪部側の回転防止ピンが切断され、障害物に引っ掛かった爪部を除いて、全体が自由な回転を得ることにより、障害物からの容易な離脱を果たす仕組みを備えたアンカー。
【考案の詳細な説明】
【技術分野】
【０００１】  水底の障害物にアンカーが引っ掛かった際に容易にこれを解消し、引き揚げることができる船舶用アンカーに関するものである。
【背景技術】
【０００２】  アンカーの構造は、一般的には爪部も含め一体型で成形されており、水底の岩などの障害物に引っ掛かり、船上からの引き揚げが困難となった際には、水中に潜って離脱を図るか、ロープを切りアンカーを捨てるしかなかった。  近年になり、折り畳み式のものやアンカーロープの軸点を変えて離脱を試みるもの等々、可変式の試作もなされてはいる。
【考案の開示】
【考案が解決しようとする課題】
【０００３】  水底での障害物からの離脱の仕組みを持たせようとする様々な試作のアンカーも、構造が複雑となり丈夫さに欠けるものや水底での引っ掛かり状態に充分対応できないものがあった。  基本構造が強固なものでありながら、障害物の引っ掛かり状態に応じても対応できるもの、すなわち、アンカーの可変動作を丈夫な回転軸構造に求め、引っ掛かった方の爪部を除いて，全体が自由な回転を得ることによって、障害物からの容易な離脱を果たす仕組みを得ることを課題とした。
【課題を解決するための手段】
【０００４】  ロープ金具（２）の付いたアンカー柱（１）、支持部（４）、２枚の爪部（５，５）が、丸棒状の連結軸（３）によって連結され、この連結軸を中心軸として回転を得る基本構造とし、２枚の爪部は支持部に、左右それぞれ１本のボルトナット状の回転防止ピン（６，６）のみにより固定されており、爪部が障害物に引っ掛かった際には、アンカーを引き揚げる力によって、アンカー柱から支持部に対し、支持部の囲い形状の規制範囲を越える強い力が加わり、障害物に引っ掛かった爪部側の回転防止ピンが切断され、障害物に引っ掛かった爪部を除いて、全体が自由な回転を得ることによって、障害物からの容易な離脱を果たす仕組みを持たせた。
【考案の効果】
【０００５】  可変動作に無理のない丈夫な回転軸構造を基本としたもので、水底の障害物にアンカーが引っ掛かった際には、障害物に引っ掛かった爪部、すなわち、片方の爪部、あるいは両方の爪部、その爪部を除いて、全体が自由な回転を得ることによって、障害物からの離脱を果たし、船上から容易にアンカーを引き揚げることができる。
【考案を実施するための最良の形態】
【０００６】  ロープ金具（２）の付いたアンカー柱（１）、支持部（４）、２枚の爪部（５，５）が、丸棒状の連結軸（３）によって連結され、この連結軸を中心軸として回転を得る基本構造となっている。  この基本構造のうえに、支持部と２枚の爪部が、左右それぞれ１本のボルトナット状の回転防止ピン（６，６）によってのみ固定されており、通常時、アンカー柱は支持部の囲い形状の規制範囲内で、前後とも約４０度までは前後に振れる構造となっており、船舶用アンカーとしての水底把駐性能も確保している。
爪部が障害物に引っ掛かった際には、船舶を前進させる等によるアンカーを引き揚げる力によって、アンカー柱から支持部に対して、支持部の囲い形状の規制範囲を越える強い力が加わり、この強い力により障害物に引っ掛かった爪部側の回転防止ピンが切断され、その爪部を除いて、全体が自由な回転を得ることによって、障害物からの容易な離脱を果たす仕組みとなっている。  左右両方の爪部が障害物に引っ掛かった際には、両方の回転防止ピンが切断され、両方の爪部を除いて、全体が自由な回転を得ることにより、離脱を果たすと云うように、水底での障害物の引っ掛かり状態に応じて対応できるものである。
【産業上の利用可能性】
【０００７】  水底の障害物にアンカーが引っ掛かった際、その構造と特徴により、容易にこれを解消し、船上から引き揚げることができるものであり、丸棒状の連結軸を中心軸として回転可動すると云うこの考案の基本構造は、製品設計のうえでも厳しい環境下での使用にも耐える丈夫で長持ちする製品、回転防止ピンの交換のみで使用が継続できると云う経済性の高い製品、それ故に小型船舶用として最適の製品を生み出すものである。
【図面の簡単な説明】
【０００８】
【図１】完成図
【図２】組立図
【図３】正面図
【図４】側面図
【図５】底面図
【図６】水底の障害物に引っ掛かった状態の一例を示す図
【図７】片方の爪部が障害物に引っ掛かり、これから離脱する状態を示す図
【図８】両方の爪部が障害物に引っ掛かり、これから離脱する状態を示す図
【符号の説明】
【０００９】    １  アンカー柱
２  ロープ金具
３  連結軸
４  支持部
５  爪部
６  ボルトナット状の回転防止ピン
７  連結軸抜け落ち防止のボルトナット
【図１】
0003103697.tif 000003
【図２】
0003103697.tif 000004
【図３】
0003103697.tif 000005
【図４】
0003103697.tif 000006
【図５】
0003103697.tif 000007
【図６】
0003103697.tif 000008
【図７】
0003103697.tif 000009
【図８】
0003103697.tif 000010
(57)【要約】【課題】従来の段ボールパレットの桁は、対荷重に重点をおいて作られているため、強度は強いものの、天板や底板との接着強度が弱かったり、取り付け方法が難しい等の課題があった。【解決手段】本考案による桁は四角筒を２本並べる事で、天板や底板との接着面積を大きく取り、接着強度を強くすると共に、複数の固定板を垂直に使用し、対荷重も強くする事に成功した。【選択図】図１
0003103695.tif 000002
【実用新案登録請求の範囲】
【請求項１】
段ボールを折り曲げてつくられた、２個の連結した四角筒と、複数個の角筒固定板からなり、角筒には角筒固定板が挿入されるための、差込み穴が複数あけてあり、角筒固定板には、角筒の差込み穴に、井桁組みするためのスリットが作られている事を、特徴とする段ボール桁ブロック。
【請求項２】
四角筒の側面部と中央部と底面部は、折り曲げられた段ボール板が２重になる構造であり、同じく角筒固定板も段ボール板の２重構成であり、両者は組み立てた時、段ボールのフルートが、垂直に立つ様に作られている事を、特徴とする段ボール桁ブロック。
【考案の詳細な説明】
【考案の詳細な説明】
【技術分野】
【０００１】本考案は段ボールパレットの桁部分に関する。
【背景技術】
【０００２】従来段ボールパレットの桁は、段ボールを幾層にも貼合わせた積層桁や、紙管をカットして貼合わせたものが多く使用されている。
【考案が解決しようとする課題】
【０００３】これらの積層桁や、紙管桁は強度は強いものの、段ボールパレットの天板や底板への接着力が弱かったり、取り付け方法が難しい等の問題や、価格が高くなってしまうと言う課題がある。
【課題を解決するための手段】
【０００４】これらの課題を解決する方法として、段ボールを折り曲げて、２個の連結した四角筒に形成し、その一辺を接着面となし、接着強度を強くすると共に、２個の四角筒を複数の固定板で強固に一体化固定する方法で課題を解決した。
【考案の実施形態】
【０００５】以下本考案の基本的な形態について説明する。
長方形をした段ボールシートの所定の位置に、折り曲げ罫線２Ａと差込み穴２Ｂが設けられている角筒板２を、両端から内側に折り曲げて、２本の連結した四角筒を作り、この２個の角筒を複数の固定板３で井桁状に、一体化固定して桁ブロック１は完成する。通常ブロックの大きさは、縦１５ｃｍ〜３０ｃｍ、横１５ｃｍ〜２０ｃｍ高さ９ｃｍ、の立方体で強化段ボールで作られる。
【０００６】図２はか角筒板２を展開した図である。段ボールのフルートの流れ方向と平行に１０本の罫線２Ａが付けられている。固定板３を挿入するための差込み穴２Ｂは、フルートの流れ方向と直角に６』個所、所定の位置に設けられている。
【０００７】四角筒の側面部と中央部と底面部は強度を強くするために、段ボールシートが２重になる様に折り曲げられる。
【０００８】図３は固定板３の展開図である。中央に半切線３Ａが付けられ、この線に添って折られ、２枚重ねされる。上部と下部には差し込み用のスリット３Ｂが作られている。
通常固定板３の数は、ブロックの縦方向の長さが２０ｃｍ以内の場合は２個、２０ｃｍ以上の場合は３個付けられる。
【０００９】図４は段ボールパレットの全体図で、桁ブロック１は通常９個使用される。桁ブロックの大きさは、パレットの大きさや、荷重条件によって決定する。
【考案の効果】
本考案による桁ブロックは構造がシンプルで、段ボールの使用量が少なく、且つ強度が強く、安くできるのが特長である。
又、パレットの積荷形状や荷重条件によって、桁ブロックの大きさを選定でき、最適で経済的なパレットを設計することができる。
【図面の簡単な説明】
【００１０】
【図１】桁ブロックの組立て完成図
【図２】角筒板のシート展開図
【図３】固定板のシート展開図
【図４】段ボールパレットの全体図
【符号の説明】
【００１１】  １                桁ブロック
２                角筒板
２Ａ              折曲げ罫線
２Ｂ              差込み穴
３                固定板
３Ａ              半切り線
３Ｂ              差込みスリット
【図１】
0003103695.tif 000003
【図２】
0003103695.tif 000004
【図３】
0003103695.tif 000005
【図４】
0003103695.tif 000006
(57)【要約】【課題】立ったままの姿勢で、つまみ（５）に手を触れることなく固定金具（Ｃ）を、ガラス戸枠の上部、下部に移動、固定し、脱離することを可能にする。【解決手段】棒（Ａ）の下部の切込みに、ゴム（３）とこれと対向する、ゴム（３）を接着したＶ字形の金属板がつくる隙間により、固定金具（Ｃ）のつまみ（５）を捕捉して、これをサッシ枠（６）上の固定位置に移動し、次いで棒（Ａ）の軸を回し、固定、脱離、移動を可能にした。【選択図】図５
0003103609.tif 000002
【実用新案登録請求の範囲】
【請求項１】
棒（Ａ）の上部に、Ｌ字型金具（１）を設置し、下部に、ガラス戸固定金具（Ｃ）の突起したつまみ（５）を捕捉する機能を持つ、つまみ補足部（Ｂ）を持つ、ガラス戸固定金具（Ｃ）を操作する器具
【請求項２】
棒（Ａ）の長い方向に切込みがあり、長い方向の中心線で分けられた一方に、中心線に沿ってゴム（３）が接着され、他方にゴム（３）が接着されたＶ字形の金属板（２）が、ねじ止めまたは接着された構造を持つ、つまみ補足部（Ｂ）を持つガラス戸固定金具（Ｃ）を操作する器具
【考案の詳細な説明】
【技術分野】
【０００１】本考案は防犯に必要な、身体に負担が少なく操作できる、ガラス戸固定金具の操作器具に関するものである。
【背景技術】
【０００２】本考案と異なる物品、素材を捕捉、脱離する技術として、実用新案公開平成０２−１１４４７４、実用新案登録３０２００４９が知られているが、これらと本考案とでは、被捕捉物品の形状、捕捉力、捕捉機構、捕捉部分の材料が異なっている。
【考案の開示】
【考案が解決しようとする課題】
【０００３】ガラス戸固定金具（Ｃ）を床面のサッシ枠（６）に固定するためには、つまみ（５）を直接手で保持し、サッシ枠（６）上に移し、右回りに回転して、締めつけ固定する。この場合腰を曲げ腰に負担がかかる。また、ガラス戸の上部の枠に固定金具（Ｃ）を固定するためには腕を上方に伸ばさねばならない。更に戸の開閉により固定金具（Ｃ）は固定位置より離れ、またサッシ枠（６）より外れる場合があり、固定位置に戻すためには腰を曲げねばならない。
【課題を解決しようとする手段】
【０００４】本考案の器具は棒（Ａ）の上部にＬ字形金具（１）、下部の切込みにつまみ捕捉部（Ｂ）を設置する。つまみ捕捉部（Ｂ）は、切込みの一方にゴム（３）、他方にゴム（３）を接着したＶ字形の金属板（２）が隙間を形成する構造である。プラスチックスはゴムの代りに使用できる。固定金具（Ｃ）は棒（Ａ）の操作により、捕捉または脱離させることができる。
【考案の効果】
【０００５】本考案の器具の使用により、腰を曲げることなく立ったままの負担の少ない姿勢で、簡単な操作により、固定金具（Ｃ）を手に触れることなく棒（Ａ）により捕捉し任意の位置に移動、固定、脱離できることは本考案の効果である。
【考案を実施するための最良の形態】
【０００６】固定金具（Ｃ）の上部のつまみ（５）は水平切断面が矩形の板状で、水平面内に回転し、サッシ枠（６）とガラス戸枠（７）を加圧して固定する構造となっている。つまみ（５）に向けて棒（４）を下方に押しつければ、つまみ（５）は金属板（２）の弾力とゴム（３）の摩擦力によって捕捉され、固定金具（Ｃ）は吊り上げられて落下することがない。ゴム（３）と金属板（２）を簡単な構造で組合わせて隙間をつくり、金属板（２）の弾力と厚さにより捕捉する力を調節できたことは本考案を実施するための最良の形態である。
【実施例１】
【０００７】図３、図４で示される棒（Ａ）上部のＬ字形金具（１）を手で保持し、別に置かれた固定金具（Ｃ）のつまみ（５）の上部に向けて棒（Ａ）下部を押しつければ、つまみ（５）はつまみ捕捉部（Ｂ）の隙間に捕捉されて図に示すように一体となり、固定金具（Ｃ）は吊り上げられ落下しない。この状態で固定金具（Ｃ）を図５に示すサッシ枠（６）上の固定位置に置く。この位置は双方のガラス戸の垂直の枠が一致した位置である。次いで棒（Ａ）を右（時計方向）に回し締め付けて固定する。棒（Ａ）を上方に引き抜けば図６のように固定金具（Ｃ）は固定される。始めに捕捉する場合は棒（Ａ）は充分左（反時計方向）に回しておく必要がある。固定を解き、ガラス戸を開きたい場合は、左回しにして次いで固定金具を移動させればよい。
【実施例２】
【０００８】固定金具（Ｃ）をガラス戸上部の枠に固定したい場合は、固定金具（Ｃ）を捕捉してから、Ｌ字形金具（１）を下方に、捕捉した固定金具（Ｃ）を上方に向けて固定すればよい。
【実施例３】
【０００９】ガラス戸の開閉により、固定金具（Ｃ）が固定位置より離れた場合には、図７に示されるように、Ｌ字形金具（１）を固定金具（Ｃ）にかけて移動させることができる。
【産業上の利用可能性】
【００１０】本考案の器具は各種の日用品、産業用品に利用される可能性があると思われる。
【図面の簡単な説明】
【００１１】
【図１】棒（Ａ）下部のつまみ捕捉部（Ｂ）の説明図である
【図２】棒（Ａ）下部のつまみ捕捉部（Ｂ）に固定金具（Ｃ）が捕捉された状態を示す説明図である
【図３】棒（Ａ）の説明図である
【図４】棒（Ａ）の説明図である
【図５】棒（Ａ）、固定金具（Ｃ）とガラス戸枠（７）、サッシ枠（６）と固定位置との関係を示す図である
【図６】固定金具（Ｃ）が固定された状態を示す図である
【図７】固定金具（Ｃ）をサッシ枠（６）上で移動させる方法を示す図である
【符号の説明】
【００１２】Ａ  棒
Ｂ  つまみ捕捉部
Ｃ  固定金具
１  Ｌ字形金具
２  金属板
３  ゴム
４  止ねじ
５  つまみ
６  サッシ枠
７  ガラス戸枠
【図１】
0003103609.tif 000003
【図２】
0003103609.tif 000004
【図３】
0003103609.tif 000005
【図４】
0003103609.tif 000006
【図５】
0003103609.tif 000007
【図６】
0003103609.tif 000008
【図７】
0003103609.tif 000009
(57)【要約】【課題】  低廉に製造できる反面極めて高級感のある風合を表出する靴底の提供を課題とし、更に、ダンスフロアーとの床面との摩擦抵抗を極めて低減させ、ほぼ皮革製の靴底と同様の滑り易さをだすことの可能なソシアルダンス用シューズの提供を課題とする。【解決手段】  靴底部にマイクロファイバーにより構成した不織シート地を用いたソシアルダンス用シューズによって解決できる。【選択図】    図１
0003103676.tif 000002
【実用新案登録請求の範囲】
【請求項１】
ソシアルダンス用シューズの靴底部にマイクロファイバーにより構成した不織シート地を用いたことを特徴とするソシアルダンス用シューズ。
【考案の詳細な説明】
【技術分野】
【０００１】
本考案はソシアルダンス用シューズに関し、より詳細には靴底としてマイクロファイバーにより構成した不織シート地を用いたソシアルダンス用シューズに関する。
【背景技術】
【０００２】
従来より、ソシアルダンスにおけるシューズは、その靴底として皮革を用いているものであった。
これは、フロアー上においてターンを行いやすくし、或いはダンス動作をより滑らかに見せるために必要なものであり、かつ靴底が皮革ゆえその見栄えも極めてよいことから靴底として皮革が多用されていた。
この他、一般的に靴底としてゴム地や樹脂シート地を用いたシューズもあるが、ソシアルダンス用には不向きであり、余り使用されていなかった。
即ち、ソシアルダンスにおいては、ダンス中の滑らかな動きを行うために最も適した靴底は皮革であり、他の材質では滑らかな動きがしずらくなるばかりでなく、高級感に欠け、使用されにくいものであった。
又、特開平１０−２９５４０１が存在するが、係る発明は不織布に合成樹脂を含有させた靴底を用いるものである。
【特許文献１】特開平１０−２９５４０１
【考案の開示】
【考案が解決しようとする課題】
【０００３】
以上の様に、ソシアルダンスシューズとして一般に用いられている靴底は皮革であり、これは前述の通りダンス動作をより滑らかに行い、かつ見栄えをよくするために、一般的には皮革が使用されているが、極めて高価であると共にその保管も大変である。
これに対して一般的な不織布に合成樹脂剤を含有させた靴底に関しても、不織布を構成する細紐状部材を溶着等して構成するものであり、見栄えの点で皮革には及ばないものである。
特に単なる不織布を用いた場合には、ダンスフロアーでの滑りが良くなく、合成樹脂剤を含有させることにより若干滑らかさの向上が図れるものであり、皮革に比べる今一歩滑らかな動きを阻害することとなってしまう。
【０００４】
特に従来の不織布が細紐状部材を用いるものであり、その間隙間において生ずるフロアーとの摩擦係数が皮革に比べて高いものであって、今一歩高度なソシアルダンス用には不向きといわざるをえなかった。
特に、ソシアルダンスにおいては、ダンス中の滑らかな動きを行うために最も適した靴底は皮革であり、他の材質では滑らかな動きがしずらくなるばかりでなく、高級感に欠け、使用されにくいものであった。
更にゴム地を用いたシューズは、ソシアルダンスには不向きでほとんど使用されていないものである。
又、樹脂シート地を用いたシューズも皮革に比べ滑らかさの点及び高級感等多くの点で劣る事から使用されにくいものであった。
【課題を解決するための手段】
【０００５】
本考案は上記課題を解決するものであり、高級感を有しつつ、極めて低額にて製造でき、更にはダンス中においてダンスフロアーの床面との摩擦抵抗を低減し、滑らかなダンスを可能とするソシアルダンス用シューズの提供を図るものである。
係るため請求項１に記載の考案はソシアルダンス用シューズの靴底部にマイクロファイバーにより構成した不織シート地を用いたソシアルダンス用シューズであり、係るソシアルダンス用シューズによって本課題を解決できる。
【考案の効果】
【０００６】
係るソシアルダンス用シューズの靴底によって、あたかもバックスキンの如く極めて高級感のある風合を表出する靴底の提供を可能とするという効果を有する。
更にマイクロファイバーゆえ、各々の繊維が極めて微細であり、ダンスフロアーとの床面との摩擦抵抗を極めて低減させ、ほぼ皮革製の靴底と同様の滑り易さをだすことができるという効果を有する。
その上、皮革製の靴底と比べ、極めて低廉に製造できるという効果を有する。
【考案を実施するための最良の形態】
【０００７】
次に本考案の最良の一形態の例を図１に示す。
図１はソシアルダンス用シューズ１の底部２を表す図であり、該シューズの底部２には土踏まずの部分を含めて踵３底部の手前迄マイクロファイバーにより構成した不織シート地を配設してソシアルダンス用シューズの底部２を構成している。
従って、ダンス中にダンスフロアーの床面に接する靴底部分はマイクロファイバーにより構成した不織シート地が接することから、該床面との接触部分の摩擦抵抗を低減でき、滑らかなダンスを踊る事ができる。
従ってダンス中の動きをより軽やかにできると共に、仮に靴の底面が他者から見えたとしてもマイクロファイバーにより構成されていることから、あたかもバックスキンの様な外観を呈することとなり、高級感の高い靴底の提供ができることとなる。
【０００８】
図１は、マイクロファイバーにより構成した不織シート地を土踏まずの部分を含めて踵３底部の手前迄配設しているが、これに限らず、例えば土踏まずの部分或いは土踏まずの部分を含めて踵底部の手前迄の部分に関しては、このマイクロファイバーにより構成した不織シート地を用いなくともよい。
少なくとも、ソシアルダンス用シューズの底部であって、ダンスフロアーの床面に接する靴底２部分にマイクロファイバーにより構成した不織シート地を配設していればよい。
又、踵部３の底部はマイクロファイバーにより構成した不織シート地を配設するものであっても配設しないものであってもよい。
【０００９】
次に図２は図１に係るソシアルダンス用シューズを横方向から視認した状態を示す図である。
該靴１の底部２にはマイクロファイバーにより構成した不織シート地が配設されている。
マイクロファイバーにより構成した不織シート地は、極めて微細なマイクロファイバーを公知な手段又は溶着・圧着等により不織シート地として構成したものであればよく、少なくともマイクロファイバーを用いたものであればよい。
【図面の簡単な説明】
【００１０】
【図１】本考案に係るソシアルダンス用シューズの一例を示す図
【図２】本考案に係るソシアルダンス用シューズの一例を示す図
【符号の説明】
【００１１】
１    ソシアルダンス用シューズ本体
２    靴底
３    踵部
【図１】
0003103676.tif 000003
【図２】
0003103676.tif 000004
(57)【要約】【課題】  枕を提供する。【解決手段】  枕１０は、頭用窪み１２とこの頭用窪み１２から枕１０の端部１７に向かって延びる首用窪み１６とを有する発泡芯部分１４を有する。低反発性発泡材質よりなる首支持部１８が首用窪み１６に置かれる。軽量ソフトカバー２１は発泡芯部分１４を包み、そして次にソフトケース１１によって包まれる。小さなオプションパッド１３は、頭用窪み１２内に収められる。【選択図】  図２
0003103683.tif 000002
【実用新案登録請求の範囲】
【請求項１】
頭用窪みとこの頭用窪みから枕の端部にむかって延びる首用窪みとが形成された発泡芯部分を有し、かつ前記首用窪みに配置された低反発性発泡材質よりなる首支持部を有することを特徴とする枕。
【請求項２】
前記頭用窪みは、発泡芯部分の厚み全体を貫通した複数の孔を有する領域の間に置かれていることを特徴とする請求項１記載の枕。
【請求項３】
前記低反発性発泡材質よりなる首支持部は、発泡芯部分の上面と同様の高さを有していることを特徴とする請求項１または請求項２記載の枕。
【請求項４】
前記発泡芯部分は、頭用窪みの周縁部となめらかに連なっていることを特徴とする請求項３記載の枕。
【請求項５】
更に発泡芯部分を包むソフトケースを有していることを特徴とする請求項１ないし４のいずれかに記載の枕。
【請求項６】
更に発泡芯部分を包み、かつソフトケースによって包まれる軽量発泡材質のカバーを有することを特徴とする請求項５記載の枕。
【請求項７】
更に頭用窪み内に収容される小さなパッドを有することを特徴とする請求項１ないし６のいずれかに記載の枕。
【請求項８】
更にソフトケースの外側面で頭用窪み内に取り付けられる小さなパッドを有することを特徴とする請求項５記載の枕。
【請求項９】
前記パッドは、フックとループのファスナー用タブによってソフトケースに取り付けられていることを特徴とする請求項８記載の枕。
【考案の詳細な説明】
【技術分野】
【０００１】
本考案は、枕に関するものであり、さらに詳細には、限定するものではないが、低反発性本体を有する特別な形状や輪郭の枕に関するものである。
【背景技術】
【０００２】
多種の異なった構造を有する枕が知られている。あるものは発泡材質により形成され、またあるものは頭を支える曲面を有していたり、更にまた、あるものは水鳥の羽毛を詰め込んだものなどがある。全てのものは多少の快適さを有しているとはいえ、多くのものは長期にわたる不快さをもたらしたり、頸部脊椎を傷めたりする可能性がある。このような領域において改良の余地が残されている。
【考案の開示】
【考案が解決しようとする課題】
【０００３】
本考案の目的は、上記の問題点を少なくとも実質的に改善するか、あるいはより一般的には改善された枕を提供することにある。
【課題を解決するための手段】
【０００４】
本考案によれば、枕は以下のような構成からなる。
頭用窪み及びこの頭用窪みから枕の端部にむかって延びる首用窪みが形成された発
泡芯部分を有し、かつ首用窪みには低反発性発泡材質よりなる首支持部が配置され
たものである。
【０００５】
頭用窪みは、発泡芯部分の厚み全体を貫通した複数の孔を有する領域の間に置かれるのが望ましい。
【０００６】
低反発性発泡材質よりなる首支持部の上面は、発泡芯部分の上面と同じ高さとすることが望ましい。
【０００７】
発泡芯部分の上面は、頭用窪みの周縁部となめらかに連なっていることが望ましい。
【０００８】
枕は、更に発泡芯部分を包むソフトケースを有することが望ましい。
【０００９】
更に枕は、ソフトケースによって包まれる軽量発泡材質よりなるカバーを有することが望ましい。
【００１０】
頭用窪みの中に小さなパッドを置くことが望ましい。
【００１１】
この小さなパッドは、一般的にはソフトケースの外側表面に取り付けられている。
【００１２】
このパッドは、フックとループのファスナーの付いたタブによってソフトケースに取り付けられている。
【００１３】
本文中で使われているように、首支持部に関して使用される「低反発性」という用語は、柔らかく人の首の圧力で容易に圧縮できるが、首を持ち上げると圧縮された状態から開放された状態にゆっくりと戻り、回復する種類の発泡材質を記述しようと意図している。「低反発性発泡材質」は、圧縮あるいは変形された状態からその圧力を取除くことによって、開放された状態にゆっくりと戻る発泡材質である。
【考案を実施するための最良の形態】
【００１４】
添付図面の図１には、一般的にはベルベットあるいはベロア仕上げにされたソフトケース１１を有する枕１０が概念的に表示されている。小さなオプションの頭部支持用（後頭部）パッド１３を入れた頭用窪み１２が表示されている。
【００１５】
図２には、上面中央部に頭用窪み１２を有する発泡芯部分１４が表示されている。
【００１６】
その頭用窪み１２は、形状としては窪んでいる。頭用窪み１２の両側のエリアには、発泡芯部分を上下に貫通する複数の孔１５が形成されている。
【００１７】
頭用窪み１２から枕の端部１７に向かって延びる首用窪み１６がある。低反発性発泡材質よりなる首支持部１８が首用窪み１６内に収容され、一般的にはそこに接着されるか付着される。首支持部１８は、発泡芯部分１４の上面２０と同じ高さでかつ頭用窪み１２の周縁部となめらかにつながる上面１９を有する台形柱形とする。首支持部１８の深さは、一般的には発泡芯部分の全体の高さ（即ち厚み）の約１／３ないし１／２である。
【００１８】
軽量でやわらかなポリエステル繊維あるいはウールのカバー２１が芯部分１４と首支持部１８を包んでいる。次に、柔らかい発泡材質よりなるカバー２１は、ケース１１によって包まれる。
【００１９】
オプションのパッド１３（一般的にはカバー付きで発泡材質よりなる）は、その底面にフックまたはループのファスナーのタブが取り付けられる。次にケース１１の上面の頭用窪み１２の位置に、ループまたはフックのファスナーのタブが取り付けられる。これらのタブは、相互に作用して、オプションパッド１３をケース１１に一時的に固定する。
【００２０】
製造業者のタグ２２は、図１に示されているように、ケース１１に取り付けられる。
【００２１】
枕は、一般的に使用時には枕カバーによって包まれる。
【００２２】
本考案に対する当業者にとっての自明な改変や代案は、本考案の範囲からはずれないと認識されるべきである。たとえば、首支持部１８は、首用窪み１６内に接着剤で固定する代わりに、取外し可能あるいは交換可能なパーツとして用意することもできる。また、フックとループのファスナー用タブを用いる代わりに、業界内で知られた代替のファスナーを使用することもできる。
【図面の簡単な説明】
【００２３】
【図１】本考案に従って実施した枕の上方向からの斜視図である。
【図２】図１の枕の一部を分解して表した斜視図であり、枕の芯部分と首支持部を示している。
【図３】図２と同様に一部を分解して表した斜視図である。
【図４】図２の枕の芯部分と首支持部を切断した状態の斜視図である。
【図１】
0003103683.tif 000003
【図２】
0003103683.tif 000004
【図３】
0003103683.tif 000005
【図４】
0003103683.tif 000006
(57)【要約】【課題】  本考案は、車いすのアームレストに支点となる機軸を設け、タックルブレーキに連結するブレーキワイヤーを装着し片麻痺の方による車いすに乗る時や降りる時やベッドへの移動時の転倒事故を防止する。【解決手段】  本考案は、車いすのアームレスト１に支点となる金具２を装着し、アームレスト１とフレーム４に支点金具２の２ａと２ｂで間隔をとることによりシーソーの原理で片麻痺の方が車いすに乗る時や降りる時やベッドへの移動時に、アームレスト１の前方１ａに体重をかけるとアームレスト後方部１ｂが上に持ち上がりブレーキワイヤー３が作動しタックルブレー５を牽引するため５ａの状態になり、タイヤ６が自動的にロックされた状態を維持できることによりブレーキを掛け忘れたために起こる車いす使用者の転倒防止や介助者の負担軽減に役立つ。【選択図】  図１
0003103640.tif 000002
【実用新案登録請求の範囲】
【請求項１】
車いすのアームレスト本体に支点となる金具を設け、アームレストの後方部にタックルブレーキと連結するブレーキワイヤーを装着し、自動的に車いすのタイヤをロックすることを特徴とした片麻痺用ブレーキ掛け忘れ防止アームレスト
【考案の詳細な説明】
【技術分野】
【０００１】  本考案は、車いすのアームレストに支点となる金具を設け、アームレスト後方部にタックルブレーキに連結するブレーキワイヤーを装着した車いすのアームレストに関するものである。
【背景技術】
【０００２】  車いすに乗る時や降りる時には、車いす使用者もしくは介助者が必ずブレーキを掛けていた。しかしながら現実は、ブレーキを掛け忘れる方が多いため、車いすへの乗る時や降りる時やベッドへの移動時に車いすが動き転倒事故につながっている。
【考案の開示】
【考案が解決しようとする課題】
【０００３】  車いすのブレーキを掛け忘れることによる転倒事故は、更に二次障害を招く恐れがあり致命傷ともなりかねない。従って、車いすのアームレストの機能にタックルブレーキと連動する機能を一体化させることによりブレーキの掛け忘れを防ぐことが可能になり前述の欠点を解決しようとするものである。
【課題を解決するための手段】
【０００４】  本考案は、車いすのアームレストに支点となる金具を設け、アームレストとフレーム間に支点金具による間隔をとることによりシーソーの原理で片麻痺の方が車いすに乗る時や降りる時やベッドへの移動時にアームレスト前方に手または肘で体重をかけるとアームレスト後方部が上に持ち上がりブレーキワイヤーが作動しタックルブレーキを牽引するためタイヤが自動的にロックされる状態を維持できることになる。よって前述の問題点を解決している。
【考案の効果】
【０００５】  上述のように、本考案の片麻痺用ブレーキ掛け忘れ防止アームレストは、アームレストの機能を損なうことなくタックルブレーキと連動する機能を持ち合わせているため、特殊な加工を必要とせず高価な機能による安全装置などに頼らずブレーキを掛け忘れたためにおこる車いす使用者の転倒事故防止や介助者の肉体的及び精神的な負担軽減に役立つ。
【考案の実施するための最良の形態】
【０００６】  車いす使用者の状況により右麻痺の方は左側に、左麻痺の方は右側にアームレストを装着することを考慮し、アームレストの後方部にタックルブレーキと連結するブレーキワイヤーを装着し、アームレストに支点となる金具を設け、支点となる金具の下方部をフレームに固定する。アームレスト後方をフレームに接地させた状態でタックルブレーキとブレーキワイヤーの連結部分を固定する。片麻痺の方が、車いすから降りる時や乗る時にはアームレストの前方を持ち体重がかかるためアームレストの支点金具を機軸にアームレスト後方が持ち上がりブレーキワイヤーが作動してタックルブレーキが牽引されタイヤがロックされることにより車いすが固定され車いす使用者による転倒事故を防止することができる。
【実施例】
【０００７】  以下、添付図面に従って一実施例を説明する。１はアームレスト本体、２はアームレスト本体に支点を持たせるための硬質素材等を用いた金具、３はタックルブレーキとアームレストを連結するブレーキワイヤー、４は車いすのフレームでアームレスト１に機軸となる支点金具２ａを装着し、支点金具２ｂをフレーム４に固定する、５はタックルブレーキとなりアームレスト１ｂとブレーキワイヤー３を連結する。６は車いすのタイヤでアームレスト１の前方部１ａに手や肘による力を掛けることによりアームレスト１ｂが上がりブレーキワイヤー３が作動しタックルブレーキ５が牽引されることにより５ｂの状態が５ａの状態となりタイヤ６がロックされる。これによりブレーキを掛け忘れることがなくなり車いすが動くことなく転倒事故防止につながる。【０００８】  アームレスト１の前方１ａに手または肘による力を掛けることによりアームレスト１ｂが上がりブレーキワイヤー３が作動しブレーキ５が牽引され５ａの状態になり、タイヤ６がロックされる。車いす使用者または介助者自らがタックルブレーキ５のロックを解除しない限りタックルブレーキ５は５ａの状態でタイヤ６をロックしたままの状態が保てる。【０００９】  本考案の一実施例は上述の如き構成からなるものであるからアームレスト１を肘掛として利用することは勿論であるが、支点金具２ａを機軸としたアームレスト１ｂとブレーキワイヤー３を介し５のタックルブレーキと連動させることによりタイヤ６をロックすることができ、特に片麻痺の方の転倒事故防止及び介助者の負担軽減につながり豊かな日常生活の向上を図ることになる。
【図面の簡単な説明】
【００１０】
【図１】本考案の片麻痺用ブレーキ掛け忘れ防止アームレストの一実施例を示す側面図である。
【図２】本アームレストの側面図である。
【符号の説明】
【００１１】  １  アームレスト本体
２  支点金具
３  ブレーキワイヤー
４  フレーム
５  タックルブレーキ
６  タイヤ
【図１】
0003103640.tif 000003
【図２】
0003103640.tif 000004
(57)【要約】【課題】本考案は靴本体に警報ブザーを設け、護身及び犯罪防止をする。【解決手段】本考案は靴本体１にＯＮ・ＯＦＦ自在のスイッチ３を設け、このスイッチを作動させる事により２の電池から５の警報ブザーの基盤、６のスピーカーに電流が流れ、警報が鳴る。これにより護身及び犯罪防止に役立つ。【選択図】図１
0003103635.tif 000002
【実用新案登録請求の範囲】
【請求項１】
靴本体に警報ブザーを設け、かかとの下部にＯＮ・ＯＦＦ自在のスイッチを設けるとともに、靴本体のかかと上部のスピーカーから警報ブザーが鳴り、周囲の人達に身の危険を逸速く知らせる事を特徴とする防犯靴。
【考案の詳細な説明】
【技術分野】
【０００１】本考案は、警報ブザー及びかかと下部にスイッチを設けた、靴に関するものである。
【背景技術】
【０００２】外出等において警報ブザーを、携帯電話のストラップにしたり、首にかけたり、ポケット、カバンなどに所持していた。
【考案の開示】
【考案が解決しようとする課題】
【０００３】携帯の仕方によっては、警報ブザーを作動させる為に時間を費やしてしまう。従って、靴の機能と警報ブザーの機能を一体化することにより、瞬時に作動させる事が可能になり前述の欠点を解決しようとするものである。
【課題を解決するための手段】
【０００４】本考案は、靴本体に警報ブザーを設け、かかとの下部にＯＮ・ＯＦＦ自在のスイッチを設けたので、声の出せない状況及び手の自由が効かない状況でも瞬時にかかとでスイッチを作動させる事が可能となり、かかと上部に設けられたスピーカーにより逸速く周囲の人達に身の危険を知らせる事により問題点を解決している。
【考案の効果】
【０００５】上述の様に、本考案の防犯靴は外出時、常に身に付けている為、個人の防犯意識が高まり、突如身に降りかかる危険に遭遇した場合でも未然に防ぐ事ができ、護身及び犯罪防止として役立つ。
【考案の実施するための最良の形態】
【０００６】靴本体のかかとの下部の部分にスイッチが設けてある為、手動は勿論だが、かかとを地面や、物、もう片方のつま先、揉み合いになった時に相手方の体の何処かを利用する事により、警報ブザーを作動させる事が可能となる。もう一度スイッチを押すと警報ブザーを解除させる事が可能である。
【実施例】
【０００７】以下、添付図面に従って一実施例を説明する。１は汚れにくく防水性に優れた素材にて形成された靴本体、２は警報ブザーの電源６Ｖ  ＣＲ２０１６ボタン電池２個、３は耐久性に優れたスイッチ、このスイッチを例えば地面を使って作動させた場合、４の導線が２の電池の電流を流す事が可能である。【０００８】５は警報ブザーの基盤で前記の２の電池の電流が４ａの導線によって５の警報ブザーの基盤に電流を流し、４ｂの導線で６のスピーカーに電流を流し、警報ブザーを鳴らす事が可能である。【０００９】本考案の一実施例は上述の如き構成からなるものであるから、靴本体１を靴として用いることは勿論であるが、３のスイッチを作動させれば６のスピーカーより警報ブザーが鳴り、再度、３のスイッチを押す事により電流を止め警報ブザーを解除する事が可能である。
【図面の簡単な説明】
【００１０】
【図１】本考案の防犯靴の一実施例を示す側面の一部切欠断面図である。
【図２】本考案の後面の一部切欠断面図である。
【符号の説明】
【００１１】１  靴本体
２  警報ブザーの電源（一例６Ｖ  ＣＲ２０１６ボタン電池）
３  ＯＮ・ＯＦＦ自在のスイッチ
４  導線
５  警報ブザーの基盤
６  スピーカー
７  スイッチ部の防水、保護、ゴム性カバー
８  スピーカー部の防水、保護、プラスチック性カバー
【図１】
0003103635.tif 000003
【図２】
0003103635.tif 000004
(57)【要約】 【課題】  木製の箪笥は、一般に重量があって移設などが容易ではない。一方、プラスチック製の箪笥は、軽量であるが、視覚的に落ち着きがなく、暖かみに欠ける。本考案は、木製の箪笥を軽量化してこれを解決しようとするものである。【解決手段】  一個の引出しを収納する木製の箱体の上面は板で覆い、側面と底面は枠状にして開口部を設け、後面には対辺に板を渡し、場合によっては、引出しを押し込む時にストッパーの機能を果たさせ、開口部を設ける。【選択図】  図１
0003103777.tif 000002
【実用新案登録請求の範囲】
【請求項１】
１個の引出しを収納する箱体１が下記の（イ）、（ロ）、（ハ）、及び（ニ）の構成からなる木製箪笥。
上面２は、全面を閉鎖する板からなる。
左右の側面３は、引出しの側面の周縁部を支える形状の枠状の板からなる。
底面４は、引出しの底面の周縁部を支える形状の枠状の板からなる。
後面５は、少なくとも一枚の板を対辺間に渡し、開口部を残した構造からなる。
【考案の詳細な説明】
【技術分野】
【０００１】
本考案は、軽量化した木製の箪笥に関する。
【背景技術】
【０００２】
木製の箪笥は一般に数段の引出しを、前面が開放された木製の箱体に収納されている。従って、一棹の箪笥は、通常、二分割位にされてはいるものの、相当重たいのが普通で、移設作業などの取り扱いが厄介である。収容量が少なくても良い場合には、引出し一個を前面が開放された箱体に収納したユニット形式の箪笥がある。このユニット箪笥は、一個だけで使用することも出来るし、数個を重ねて利用することも出来る。いずれにしてもユニット箪笥は数段の箪笥よりも軽く、取り扱い易い。プラスチック製のユニット箪笥もあって、木製のものよりも軽量である。
【考案の開示】
【考案が解決しようとする課題】
【０００３】
プラスチック製のユニット箪笥は、軽量であるが視覚的に質量感がなく、落ち着いた暖かみがない。これらの感覚は、やはり、木製でないと印象づけることが出来ない。本考案は、木製で従来よりも軽量なユニット形式の箪笥を提供しようとするものである。
【課題を解決するための手段】
【０００４】
木製ユニット箪笥の箱体の上面全面を板とし、側面と底面は枠状の板で引出しを支えて開口部を有し、後面は少なくとも一枚の板を対辺間に渡し、開口部を残すように構成することによって課題を解決する。
【考案の効果】
【０００５】
ユニット形式の箪笥を木製にすることにより、視覚的な質量感を出し、落ち着いた暖かみを感じさせる。側面、底面、後面を全面的に閉鎖せず、部分的に開口部を設けることにより、軽量化が達成され、移設などの取り扱いや、数段を重ねるときの取り扱いが容易になる。
【考案を実施するための最良の形態】
【０００６】
１個の引き出しを収納する箱体１の上面は、木製の板で全面的に覆われている。箱体１の側面は引き出しの周縁部を支える枠状の形にし、必要に応じて補強用のリブ６を設ける。箱体１の後面には、対辺間、例えば、左辺と右辺の間に少なくとも一枚の板５を渡し、開口部を残す構造とする。上辺と下辺間に渡す場合もあり得るし、また、側面や底面と同様に枠状の形にすることもあり得る。引き出しの前面の外法寸法が箱体１の前面の内法寸法を超えない場合は、引き出しを押し込む時に適宜の位置でストップさせることが必要である。このような場合は、後面の板５が引き出しの後面の一部に当接して、適宜の位置で引き出しの押し込みをストップさせるように配置し、ストッパーの機能を果たさせる。
ユニット箪笥を重ねて多段にして使用するときは、重ね位置を合わせるための各種の既存技術を使用して一定の位置に重ねられた多段箪笥にすることが出来る。
【実施例】
【０００７】
実施例を図によって説明する。第１図は、１個の引き出しを収納する箱体１の形状を示す斜視簡略図である。箱体１の前面は開口しており、上面全面を木製の板２が覆っている。両側面は、四辺から適宜の幅を有する木製の枠状体３を形成し、上辺と下辺に渡る縦の木製補強板６を２ヶ所に配置する。底面も側面に準じて四辺から適宜の幅を有する木製の枠状体４を形成し、左辺と右辺を渡す木製の補強板６を１ヶ所に配置する。側面の補強板６の内面は、側面の枠状体３の内面と同一平面にあり、底面の補強板６の内面は、底面の枠状体４の内面と同一平面にある。このようにして側面および底面の枠状体３，４および補強板６は、引き出しの側面と底面を支え、出し入れに際してガイド役を果たす。
箱体１の後面には、上辺から適宜の幅の木製の板５を左辺と右辺に渡し、この板５が引き出しの後面に当接した時、ストッパー機能を果たして、引き出しの前面が箱体１の前面と同一面になるように、板５を配置する。
【０００８】
必要に応じて、箱体１の上面の四隅に孔７を設けてノックを着脱自在に嵌着し、底面の対応する位置に同じく孔を設けてノックに合わせることにより、積み重ねる。
【図面の簡単な説明】
【０００９】
【図１】実施例の箱体の斜視簡略図である
【符号の説明】
【００１０】
箱体
上面の板
側面の枠状体
底面の枠状体
後面の板
補強板
孔
【図１】
0003103777.tif 000003
【手続補正書】
【提出日】平成16年4月27日(2004.4.27)
【手続補正１】
【補正対象書類名】実用新案登録請求の範囲
【補正対象項目名】請求項１
【補正方法】変更
【補正の内容】
【請求項１】
１個の引出しを収納する箱体１が下記の（イ）、（ロ）、（ハ）、及び（ニ）の構成からなる木製箪笥。
（イ）上面２は、全面を閉鎖する板からなる。
（ロ）左右の側面３は、引出しの側面の周縁部を支える形状の枠状の板からなる。
（ハ）底面４は、引出しの底面の周縁部を支える形状の枠状の板からなる。
（ニ）後面５は、少なくとも一枚の板を対辺間に渡し、開口部を残した構造からなる。
(57)【要約】  歌いたい歌のお手本を耳で聞きながら、それに合わせて歌うことができるカラオケ用マイク。【目的】  視力障害のある人、および一人では歌えなくても誰かに合わせてなら歌えるという人達をアシストするのが目的である。【構成】  マイクに接続したイヤホーンで、歌う人だけが歌詞、曲、タイミング指導などを聞くことができる構成とする。【選択図】  図１
0003103767.tif 000002
【実用新案登録請求の範囲】
【請求項１】
ポータブル音声プレーヤー機能を有するマイクロホン
【考案の詳細な説明】
【考案の詳細な説明】
【産業上の利用分野】
本考案はカラオケを利用するときの歌唱アシスト機器に関する。
【背景技術】  カラオケ用マイクとしてポータブル音声プレーヤー機能を内蔵するものはいまだ普及していない。
【考案が解決しようとする課題】
社交手段ともなったカラオケで不慣れな歌を歌わせられて困惑する人をよく見かける。自分ひとりでは歌えなくても、誰かと一緒なら歌える場合もあるので、それの特性を利用して上記課題を解決しようとするものである。
【課題を解決するための手段】
本考案はマイクを持つ人だけにイヤホーンをとおしてカラオケ画面と同期した歌詞や曲を聞かせ、それを真似ながら合唱する要領で歌えるようにする。
【作用】
ほとんどのカラオケの画像には歌詞だけが示されていて、曲や発声のタイミングについての指示はない。マイクに内蔵したポータブル音声プレーヤーからイヤホーンをとおしてお手本になる歌を必要な情報として発信する。
【考案の効果】
カラオケで歌うとき、歌唱と伴奏のリズムが必ずしも一致しない場合、歌詞や曲を完全に覚えていない場合、視力障害のある人の場合などでは特に有効と思われる。それらのとき耳で歌を聞きながら、その歌に追従して合唱する要領で歌うと比較的楽に歌い終えることが出来る。さらに、その効果はマイクを持つ人だけのもので、周囲の人達には何ら影響を及ぼすものではない。また歌っているときにモニター画面に視線を向ける必要がないことも利点のひとつと考える。
【図面の簡単な説明】  図１は本考案の全体構成図である。本考案はマイク：１とその一部に取り付けたポータブル音声プレーヤー：２からなり、前記音声プレーヤー：２はコード：３によってイヤホーン：４に接続される。
【符号の説明】
１：マイク  ２：ポータブル音声プレーヤー  ３：コード  ４：イヤホーン
【図１】
0003103767.tif 000003
(57)【要約】【課題】従来の物はフレームが固定の為浴用タオル等巾の狭い物を干す時もバスタオル等巾の広い物を干す時と同じスペースが必要である。【解決手段】フレームを左右に分割し接続部品により接続して内外に伸縮スライドする事を可能にした。【選択図】  図４
0003103768.tif 000002
【実用新案登録請求の範囲】
【請求項１】
右フレーム及び左フレームを側面連結部品と正面連結部品により接続し、右吊りフック及び左吊りフックからなる物干し。
前記右フレームと前記左フレームは側面連結部費及び正面連結部品により接続される。
前記側面連結部品と前記正面連結部品により左右に伸縮する物干し。
収納時は従来の物の約５０％のスペースで収納できる。
【考案の詳細な説明】
【技術分野】
【０００１】本考案は物干しの分野で洗濯したタオル等をベランダ等で干す時に利用する物干しに関する物である。
【背景技術】
【０００２】従来から浴用タオルやバスタオル等をベランダ等で干す時の物干しがあった。
【考案の開示】
【考案が解決しようとする課題】
【０００３】（１）従来の物は洗濯物を干す巾が固定の為に浴用タオル等の小スペースで済む時もバスタオル等大スペースが必要な時と同じスペースが必要である。
（２）浴用タオル等小スペースの物を干す時には従来固定式であったフレームを接続部品によりフレームを伸縮させる事により従来の約５０％のスペースで干す事が可能になる。
本考案はこれらの問題点を解決する為に考案された物である。
【課題を解決するための手段】
【０００４】従来の物はフレームが固定の為巾の狭い物を干す時も巾の広い物を干す時も同じスペースが必要である。
本考案は側面連結部品及び正面連結部品により接続された右フレーム及び左フレームを伸縮する事により巾の狭い物を干す時には小スペースで干せる。
収納時には従来の物の約５０パーセントのスペースで収納できる。
【考案の効果】
【０００５】ベランダ等で巾の狭い物を干す時にはフレームをスライドする事により小スペースで干せる。
収納時には従来の約５０％のスペースで収納できる。
【考案を実施するための最良の形態】
【０００６】図１  正面図
図２  左側面図
図３  右側面図
図１〜３の符号  １  左吊りフック【０００７】                ２  左フレーム【０００８】                ３  側面接続部品【０００９】                ４  右吊りフック【００１０】                ５  右フレーム【００１１】                ６  正面接続部品
図４  従来の物及び本考案
図５  従来の物の収納時の図及び本考案の物の収納時の図
図中の符号１及び４で２及び５を吊り下げている。
図中の符号３及び６で２及び５を接続している。又３及び６で２及び５をスライドさせている。
図中１及び４をベランダ等に吊り下げて浴用タオル等巾の狭い物を干す時には２及び５を内側にスライドさせてフレームの巾を狭める。
又バスタオル等巾の広い物を干す時には２及び５を外側にスライドさせてフレームの巾を広げる。
収納時には２及び５を内側にスライドさせて１及び４を内側に倒す。
本考案は以上述べた実施例に限定される物ではない。
【図面の簡単な説明】
【００１２】      図１  正面図
図２  左側面図
図３  右側面図
図４  従来の物の図及び本考案の物の図
図５  従来の物の収納時の図及び本考案の物の収納時の図
【符号の説明】
【００１３】１  左吊りフック
２  左フレーム
３  側面接続部品
４  右吊りフック
５  右フレーム
６  正面接続部品
【図１】
0003103768.tif 000003
【図２】
0003103768.tif 000004
【図３】
0003103768.tif 000005
【図４】
0003103768.tif 000006
【図５】
0003103768.tif 000007
【手続補正書】
【提出日】平成16年4月8日(2004.4.8)
【手続補正１】
【補正対象書類名】実用新案登録請求の範囲
【補正対象項目名】全文
【補正方法】変更
【補正の内容】
【実用新案登録請求の範囲】
【請求項１】
右フレーム及び左フレームを側面連結部品と正面連結部品により接続し右吊りフック及び左吊りフックで吊りさげている、前記側面連結部品と前記正面連結部品により左右に伸縮する物干し。